(57)【要約】  【課題】  スピーカーの振動が表示装置本体側に伝わらないようにして、表示画面の品位の低下を防止する。  【解決手段】  スピーカーユニット３に突設されたブラケット金具５を介してスピーカーユニット３を本体２にビス止めにより取り付ける薄型表示装置において、前記ブラケット金具５を挿通して本体２に螺着されるビスの先端の螺合部分を除く首下部分の外側にゴム製のスリーブ１３を嵌着する。前記ビスは雄ねじ部の後端に大径部７ａを有する段付ビス７であって、大径部７ａ前方の雄ねじ部全長を本体２のビス穴に螺合する。また、前記ビス７が螺着される本体２側のビス穴１１の上部に前記スリーブ１３の外径と略同径の大径穴２１を形成し、該大径穴２１に前記スリーブ１３の前部を挿入する。【選択図】  図２
2006047441.tif 000002
【特許請求の範囲】
【請求項１】
スピーカーユニットに突設されたブラケット金具を介してスピーカーユニットを表示装置本体にビス止めにより取り付ける薄型表示装置において、
前記ブラケット金具は緩衝部材を介して前記表示装置本体に固定したことを特徴とする薄型表示装置。
【請求項２】
スピーカーユニットに突設されたブラケット金具を介してスピーカーユニットを表示装置本体にビス止めにより取り付ける薄型表示装置において、
前記ブラケット金具を挿通して前記表示装置本体に螺着されるビスの先端の螺合部分を除く首下部分の外側にゴム製のスリーブを嵌着したことを特徴とする薄型表示装置。
【請求項３】
請求項２に記載の薄型表示装置において、
前記ビスは雄ねじ部の後端に大径部を有する段付ビスであって、前記大径部前方の雄ねじ部全長が表示装置本体のビス穴に螺合されたことを特徴とする薄型表示装置。
【請求項４】
請求項２または３に記載の薄型表示装置において、
前記ビスが螺着される表示装置本体側のビス穴の上部に前記スリーブの外径と略同径の大径穴を形成し、該大径穴に前記スリーブの前部を挿入したことを特徴とする薄型表示装置。
【請求項５】
請求項２乃至４のいずれかに記載の薄型表示装置において、
前記スリーブの後端にフランジを形成し、該フランジに前記段付ビスの頭部を当接させたことを特徴とする薄型表示装置。
【請求項６】
請求項２乃至５のいずれかに記載の薄型表示装置において、
表示装置本体のブラケット金具に当接される部分は、端に行くほど前後幅が薄くなる方向に傾斜していることを特徴とする薄型表示装置。
【請求項７】
請求項２乃至６のいずれかに記載の薄型表示装置において、
前記ブラケット金具の後面にブラケットカバーを取り付けたことを特徴とする薄型表示装置。
【発明の詳細な説明】
【技術分野】
【０００１】
本発明は、液晶テレビ等の薄型表示装置に関し、詳しくは、左右上下の部位にスピーカーユニットがとりつけられる薄型表示装置に関する。
【背景技術】
【０００２】
近年、液晶テレビやＰＤＰテレビ等の薄型表示装置は、画面が大型化される傾向にある。画面の大型化とともに、音声の出力も増大されている。スピーカーが大型化され、大出力となると、スピーカーの振動がテレビ本体へ伝わり、特に薄型表示デバイスに伝達された場合には、振動の程度や振動周波数によっては表示品位を劣化させる場合がある。そのため、大画面の薄型テレビでは、スピーカーを、テレビ本体と分離した構造として、画面の両側や、画面の下側に配置することが行われてきた。これら大画面の薄型テレビでは、単体構造となったスピーカーユニットとテレビ本体との連結部の構造として、必要な強度が得られるとともに、組立工程での作業が容易であること、さらにはスピーカーユニットの振動がテレビ本体に伝わらないことが必要であった。図７は、従来のスピーカーユニットの連結部の構造を示す横断図であり、サイドスピーカーユニット３の右側の側面には、板金製のブラケット金具５がビス止めにより一体的に取り付けられている。ブラケット金具５の前面は、液晶テレビ本体２のキャビネット９の斜め前方に傾斜した面に当接されている。この当接面で、ブラケット金具５は左右の段付ビス３１、３２等により、液晶テレビ本体２のキャビネット９に取り付けられている。なお、従来、スピーカーをテレビ本体の左右に配置したものとして特許文献１に記載の「テレビ受像機」が知られている。
【特許文献１】特開平０６−０７０２６９号公報
【発明の開示】
【発明が解決しようとする課題】
【０００３】
上述した従来の連結構造は、組立工程での作業が容易であるとともに必要な強度が得られるが、テレビ本体が大型化して、３２Ｖ型や３７Ｖ型となりスピーカーの出力が増大した場合に、その振動の一部がブラケット金具５の取り付け部からテレビ本体に伝わり、表示品位を劣化させることがあった。そこで、本発明は、スピーカーユニットの振動がテレビ本体に伝わり難い連結構造を有する薄型表示装置を提供することを目的とした。
【課題を解決するための手段】
【０００４】
上記課題を解決するために、本発明は、スピーカーユニットに突設されたブラケット金具を介してスピーカーユニットを表示装置本体にビス止めにより取り付ける薄型表示装置において、前記ブラケット金具は緩衝部材を介して前記表示装置本体に固定したことを特徴とする。また、本発明は、スピーカーユニットに突設されたブラケット金具を介してスピーカーユニットを表示装置本体にビス止めにより取り付ける薄型表示装置において、前記ブラケット金具を挿通して前記表示装置本体に螺着されるビスの先端の螺合部分を除く首下部分の外側にゴム製のスリーブを嵌着したことを特徴とする。
ここで、前記ビスは雄ねじ部の後端に大径部を有する段付ビスであって、前記大径部前方の雄ねじ部全長が表示装置本体のビス穴に螺合されることが好ましい。
また、前記ビスが螺着される表示装置本体側のビス穴の上部に前記スリーブの外径と略同径の大径穴を形成し、該大径穴に前記スリーブの前部を挿入することが好ましい。
さらに、前記スリーブの後端にフランジを形成し、該フランジに前記段付ビスの頭部を当接させることも可能である。
また、表示装置本体のブラケット金具に当接される部分は、端に行くほど前後幅が薄くなる方向に傾斜していることが好ましい。
さらに、前記ブラケット金具の後面にブラケットカバーを取り付けることが好ましい。
【発明の効果】
【０００５】
以上述べたように本発明によれば、スピーカーユニットに突設されたブラケット金具を表示装置本体にビス止めする際に、前記ブラケット金具を挿通して前記表示装置本体に螺着されるビスの先端の螺合部分を除く首下部分の外側にゴム製のスリーブを嵌着したことで、スピーカーから発生した振動が表示デバイスに伝わり難くなり、スピーカー振動が大きい場合でも表示画面の表示品位を損ねることがなくなる。
【発明を実施するための最良の形態】
【０００６】
以下、図に基づいて本発明の実施形態を説明する。
図１は本発明を大型画面のサイドスピーカー型液晶テレビに適用した場合の外観図であり、図（ａ）は正面図であり、図（ｂ）は平面図であり、図（ｃ）は左側面図である。図示されるように、スタンド１に支持された液晶テレビ本体２の左右端部にはサイドスピーカーユニット３，４が取り付けられている。図２は図１の左側のサイドスピーカーユニット３の取り付け部分を示す横断面図である。
【０００７】
図２に示されるように、サイドスピーカーユニット３の右側の側面には、断面変形U字状の板金製のブラケット金具５がビス止めにより一体的に取り付けられている。ブラケット金具５のU字底部の前面には、樹脂により肉盛りされて突出部６が形成されている。この突出部６とブラケット金具５の先端側の前面が、液晶テレビ本体２の左端後部の斜め前方に傾斜した面に当接されている。
【０００８】
この突出部６とブラケット金具５の先端側の２箇所で、段付ビス７，８により、ブラケット金具５が液晶テレビ本体２のキャビネット９に取り付けられている。段付ビス７，８は、図３に示されるように、先端の雄ねじ部と頭部の間の首下部分に、先端雄ねじ部よりも径の太い大径部７ａ，８ａが形成されている。これら段付ビス７，８を、ブラケット金具５に形成されている取り付け孔２１，２２を挿通して、液晶テレビ本体２のキャビネット９に形成されているビス穴１１，１２に挿通させる際に、大径部７ａ，８ａの外側に、図４に示されるスリーブ１３，１４が嵌着される。
【０００９】
このスリーブ１３，１４はゴムからなり、一端にフランジ１３ａ，１４ａが形成され、内径が段付ビス７，８の大径部７ａ，８ａと略同径である。スリーブ１３の外径は、取り付け孔２１およびビス穴１１の上部に形成されている大径穴１５と略同径である。フランジ１３ａ，１４ａ部の外径はブラケット金具５に形成されている取り付け孔２１，２２の孔径よりも大きく形成されている。スリーブ１３が嵌着された段付ビス７の先端雄ねじ部は、取り付け孔２１および大径穴１５を通過後、大径穴１５の底部に固定されている板ナット１７に螺合され、雄ねじ部の後端まで螺合して、段付ビス７がキャビネット９に固定される。それにより、ブラケット金具５はスリーブ１３を介してキャビネット９に固定されることになる。板ナット１７は、図５に示されるように、金属板の中央に雌ねじ孔１７ａが形成され、その外側に取り付け孔１７ｂが形成されて、この取り付け孔１７ｂによりキャビネット９に固定されている。
【００１０】
スリーブ１４が嵌着された段付ビス８の先端雄ねじ部は、取り付け孔２２を挿通された後、キャビネット９に形成されたビス穴１２に螺着される。それにより、ブラケット金具５はスリーブ１４を介してキャビネット９に固定されることになる。また、スリーブ１３，１４のフランジ１３ａ，１４ａは、外側がワッシャ１８，１９を介して、段付ビス７，８の頭部に当接されて、ブラケット金具５を前後方向に支持する。
【００１１】
なお、図２の横断面図では、段付ビス７，８のみが示されているが、上下方向別の位置で、他の段付ビスにより、同様に、ブラケット金具５がキャビネット９に固定される。好ましくは、段付ビス７をもう１本取り付けて３点で固定するのが良い。また、段付ビス７，８等によりキャビネット９に取り付けられたブラケット金具５の後側表面には、樹脂製のブラケットカバー２３がビス止めされる。図６は、ブラケットカバー２３が取り付けられたサイドスピーカーユニット３を後方から見た斜視図である。
【００１２】
このようにして、ブラケット金具５がゴム製のスリーブ１３，１４を嵌着した段付ビス７，８により、液晶テレビ本体２のキャビネット９に取り付けられていることで、サイドスピーカーユニット３で発生した振動が、ブラケット金具５から段付ビス７，８を介して、キャビネット９へ伝えられる場合に、ブラケット金具５と段付ビス７，８との間のゴム製のスリーブ１３，１４に振動が吸収されてキャビネット９側へ伝わりにくくなる。その結果、キャビネット９側へ伝わる振動が大幅に少なくなることにより、表示画面の表示品位が損なわれることがなくなり、スピーカーの出力増大にも対応可能となる。
【００１３】
なお、本実施形態においては、キャビネットへのブラケット金具取り付けをU字底部と先端側の２箇所で、段付ビスにより固定する方法で説明したが、例えばキャビネット側に係止突起を設け、ブラケット金具先端側を、緩衝部材を介して係止突起に係止し、U字底部のみを段付ビスで固定することも可能である。
【産業上の利用可能性】
【００１４】
本発明は、サイドスピーカー型の薄型表示装置以外にアンダースピーカー型の薄型表示装置にも利用可能である。
【図面の簡単な説明】
【００１５】
【図１】本発明を大型画面のサイドスピーカー型液晶テレビに適用した場合の外観図であり、図（ａ）は正面図、図（ｂ）は平面図、図（ｃ）は左側面図である。
【図２】図１の左側のサイドスピーカーユニットの取り付け部分を示す横断面図である。
【図３】図２の段付ビスの外観図である。
【図４】図２のスリーブの縦断面図である。
【図５】図２の板ナットの外観図である。
【図６】図１のサイドスピーカーユニットの斜視図である。
【図７】従来例を示す横断面図である。
【符号の説明】
【００１６】
１  スタンド
２  液晶テレビ本体
３，４  サイドスピーカーユニット
５  ブラケット金具
６  突出部
７  段付ビス
７ａ  大径部
８  段付ビス
８ａ  大径部
９  キャビネット
１１  ビス穴
１２  ビス穴
１３  スリーブ
１３ａ  フランジ
１４  スリーブ
１４ａ  フランジ
１５   大径穴
１７  板ナット
１７ａ  雌ねじ孔
１７ｂ  取り付け孔
１８  ワッシャ
１９  ワッシャ
２１  取り付け孔
２２  取り付け孔
２３  ブラケットカバー
【図１】
2006047441.tif 000003
【図２】
2006047441.tif 000004
【図３】
2006047441.tif 000005
【図４】
2006047441.tif 000006
【図５】
2006047441.tif 000007
【図６】
2006047441.tif 000008
【図７】
2006047441.tif 000009